(57)【特許請求の範囲】
【請求項１】
遊技球が流下可能な遊技領域が画成された遊技盤を備えた遊技機において、
前記遊技領域には、前記遊技盤に対して立設された遊技釘が設けられており、
前記遊技釘が設けられている特定領域には、前記遊技釘よりも低い高さで壁部が設けられており、
前記壁部は、前記特定領域と前記特定領域とは異なる所定領域とに亘って設けられており、前記所定領域では前記遊技釘以上の高さで設けられており、
前記特定領域は、遊技球が流下する頻度が高い領域であり、
前記所定領域は、前記特定領域と比較して、遊技球が流下する頻度が低い領域であり、
前記遊技盤には、前記遊技領域を画成するためのセンター枠が設けられており、
前記センター枠は、遊技盤の表面に沿って延びる延設部を備えているとともに、前記延設部の先端に入球部を備えており、
前記入球部は、遊技球の入球によって普通図柄変動ゲームの始動条件を成立させるゲートを有する第１入球部と、遊技球の入球によって賞球の払出し条件を成立させる一般入賞口を有する第２入球部であり、
前記延設部は、前記第１入球部と前記第２入球部とを前記センター枠と一体的に形成する連結部として機能し、１つの前記延設部によって前記第１入球部と前記第２入球部とが前記センター枠に連結されており、
前記遊技領域には、前記ゲートに遊技球が入球するための第１流路と、前記一般入賞口に遊技球が入球するための第２流路とが異なる流路としてあり、
前記第２流路を流下する遊技球は、前記特定領域の遊技釘によって挙動に変化を与えられ、
前記第１流路と前記第２流路は、前記遊技領域にある分岐部によって分岐される流路であり、
前記第１流路又は前記第２流路を流下した遊技球は、前記第１流路と前記第２流路とが前記遊技領域において合流する合流領域へ到達可能であり、
前記合流領域には、大当り遊技において開放する大入賞口が配置されており、
同一の発射強度で発射させた遊技球が、前記第１入球部と前記第２入球部のどちらかに入球し得る遊技機。
【発明の詳細な説明】
【技術分野】
【０００１】
本発明は、遊技機に関するものである。
【背景技術】
【０００２】
従来、遊技機の一種であるパチンコ遊技機には、図柄を変動させて行う図柄変動ゲームが実行され、図柄変動ゲームにおいて特定の表示結果が導出されることによって、遊技者に有利な大当り遊技が生起される。また、このようなパチンコ遊技機には、遊技盤の中央に演出表示装置が備えられており、図柄変動ゲームに応じた各種の演出画像が演出表示装置に表示されるようになっている。
【０００３】
また、このような遊技盤には、例えば、特許文献１に示すように、遊技球を案内する案内レールや、演出表示装置を囲むように設けられたセンター枠などにより、遊技球が流下可能な遊技領域が設けられている。特に、センター枠は、装飾が施されたものが多く、意匠性を高めることが図られている。
【先行技術文献】
【特許文献】
【０００４】
【特許文献１】特開２００６−３４５９７７号公報
【発明の概要】
【発明が解決しようとする課題】
【０００５】
しかしながら、このような遊技機において、例えばセンター枠などの意匠性の向上が図れているが、意匠性以外の機能など、機能性の向上を図る余地がある。
この発明は、このような従来の技術に存在する問題点に着目してなされたものであり、その目的は、機能性の向上を図ることができる遊技機を提供することにある。
【課題を解決するための手段】
【０００６】
上記問題点を解決する遊技機は、遊技球が流下可能な遊技領域が画成された遊技盤を備えた遊技機において、前記遊技領域には、前記遊技盤に対して立設された遊技釘が設けられており、前記遊技釘が設けられている特定領域には、前記遊技釘よりも低い高さで壁部が設けられており、前記壁部は、前記特定領域と前記特定領域とは異なる所定領域とに亘って設けられており、前記所定領域では前記遊技釘以上の高さで設けられており、前記特定領域は、遊技球が流下する頻度が高い領域であり、前記所定領域は、前記特定領域と比較して、遊技球が流下する頻度が低い領域であり、前記遊技盤には、前記遊技領域を画成するためのセンター枠が設けられており、前記センター枠は、遊技盤の表面に沿って延びる延設部を備えているとともに、前記延設部の先端に入球部を備えており、前記入球部は、遊技球の入球によって普通図柄変動ゲームの始動条件を成立させるゲートを有する第１入球部と、遊技球の入球によって賞球の払出し条件を成立させる一般入賞口を有する第２入球部であり、前記延設部は、前記第１入球部と前記第２入球部とを前記センター枠と一体的に形成する連結部として機能し、１つの前記延設部によって前記第１入球部と前記第２入球部とが前記センター枠に連結されており、前記遊技領域には、前記ゲートに遊技球が入球するための第１流路と、前記一般入賞口に遊技球が入球するための第２流路とが異なる流路としてあり、前記第２流路を流下する遊技球は、前記特定領域の遊技釘によって挙動に変化を与えられ、前記第１流路と前記第２流路は、前記遊技領域にある分岐部によって分岐される流路であり、前記第１流路又は前記第２流路を流下した遊技球は、前記第１流路と前記第２流路とが前記遊技領域において合流する合流領域へ到達可能であり、前記合流領域には、大当り遊技において開放する大入賞口が配置されており、同一の発射強度で発射させた遊技球が、前記第１入球部と前記第２入球部のどちらかに入球し得ることを要旨とする。
【発明の効果】
【０００９】
本発明によれば、機能性の向上を図ることができる。
【図面の簡単な説明】
【００１０】
【図１】パチンコ遊技機を模式的に示す斜視図。
【図２】遊技盤を模式的に示す正面図。
【図３】遊技盤の右側部分を拡大して示す正面図。
【図４】遊技盤の右側部分を拡大して示す斜視図。
【図５】遊技盤の左側部分を拡大して示す正面図。
【図６】遊技盤の左側部分を拡大して示す斜視図。
【図７】第２区画壁と遊技釘とを示す図。
【発明を実施するための形態】
【００１１】
以下、パチンコ遊技機の一実施形態について説明する。この明細書における上、下、左、右、前（表）、及び後（裏）は、遊技者から見たときの各方向を示すものとする。
図１に示すように、遊技機としてのパチンコ遊技機１０は、枠体１１を備えている。枠体１１は、遊技店などの島設備に固定される第１枠１１ａと、該第１枠１１ａに対して開閉が可能に軸支された第２枠１１ｂと、を備えている。第２枠１１ｂは、パチンコ遊技機１０に搭載された遊技部品を保護するための保護ガラス板１４を備えている。なお、図１において、保護ガラス板１４は、一部を残して図示が省略されているが、実際には第２枠１１ｂの開口部の全体を覆っている。このように、パチンコ遊技機１０に搭載された遊技部品は、保護ガラス板１４の内面１４ａ側に設けられており、保護ガラス板１４により保護されている。第２枠１１ｂは、各種の遊技部品を搭載するための枠である。パチンコ遊技機１０は、枠体１１の前面側に、発射ハンドル１５を備えている。パチンコ遊技機１０では、発射ハンドル１５の操作量（回動量）に応じた強度にて、遊技媒体としての遊技球が発射される。
【００１２】
パチンコ遊技機１０は、枠体１１の前面側に、装飾ランプ１６を備えている。装飾ランプ１６は、演出の１つとして、内蔵された発光体を発光、点滅、及び消灯させる演出を行う。パチンコ遊技機１０は、枠体１１の前面側に、スピーカ１７を備えている。スピーカ１７は、演出の１つとして、人や動物の声、効果音、及び楽曲などの音声を出力する演出を行う。
【００１３】
パチンコ遊技機１０は、略四角板状の部材である遊技盤２０を備えている。この実施形態の遊技盤２０は、透明なアクリル板であり、遊技盤２０の背後にある各種の遊技部品を遊技者が視認可能である。例えば、遊技盤２０は、表面にキャラクタや風景といった所定の絵柄が付されたベニヤ板であってもよい。遊技盤２０は、第２枠１１ｂに組み付けられている。遊技盤２０は、前面側に、遊技球が流下（転動）可能な遊技領域２１を備えている。遊技盤２０は、遊技領域２１の略中央に、遊技盤２０の厚さ方向に貫通する開口部２０ａを備えている。
【００１４】
また、遊技盤２０は、複数の遊技釘ＹＫや風車Ｆなど、遊技領域２１を流下する遊技球の挙動に変化を与えるための部材を備えている。なお、本実施形態において、複数の遊技釘ＹＫは、遊技盤２０に対して同じ高さとなるように立設されており、遊技領域２１内に設けられている。このように、遊技領域２１には、遊技盤２０に対して立設された複数の遊技釘ＹＫが設けられている。
【００１５】
図２に示すように、遊技盤２０は、第１レール２２を備えている。第１レール２２は、遊技球を案内する案内面として、遊技盤２０の左下部分から右上部分に向かって、且つ左上方向に向かって膨らむ円弧面を有する部材である。第１レール２２の先端部２２ａは、遊技盤２０における右上部分に配置されている。遊技盤２０は、第２レール２３を備えている。第２レール２３は、遊技球を案内する案内面として、遊技盤２０の右上部分から下部分に向かって、且つ右下方向に向かって膨らむ円弧面を有する部材である。レール２２，２３は、金属製の帯状部材を円弧状に屈曲させることによって構成されていてもよく、上記遊技球の案内面を有する板状部材により構成されていてもよい。この実施形態において、遊技領域２１は、遊技盤２０の前面がレール２２，２３によって区画されることによって、形成されている。即ち、レール２２，２３は、遊技領域２１を囲っており、遊技領域２１の外郭を構成している。
【００１６】
また、遊技盤２０は、第１レール２２の内側に、第３レール２４を備えている。第３レール２４は、遊技盤２０の左下部分から左上部分に向かって、且つ第１レール２２に沿って延びている円弧状の部材である。遊技盤２０は、発射ハンドル１５の操作によって発射された遊技球が遊技領域２１へと向かって通過する発射通路２１ａを備えている。発射通路２１ａは、第１レール２２と第３レール２４との間の空間である。遊技盤２０は、第３レール２４の先端部に、逆流防止弁２４ａを備えている。
【００１７】
パチンコ遊技機１０は、情報表示パネル２５を備えている。情報表示パネル２５は、遊技盤２０のうち、遊技領域２１の外側であって、且つ遊技者から視認可能な位置に設けられている。情報表示パネル２５では、パチンコ遊技機１０の制御状態を示す各種の情報が表示により報知される。
【００１８】
情報表示パネル２５は、特別図柄表示部を備えている。特別図柄表示部は、所定の図柄を変動表示させるとともに、最終的に特別図柄を確定停止表示させる特別図柄変動ゲームを表示する。以下の説明では、図柄が確定的に停止表示することを、「図柄を導出する」と示す場合がある。特別図柄表示部にて導出が可能な特別図柄には、大当り図柄とはずれ図柄とが少なくともある。この実施形態では、内部抽選（所謂、大当り抽選）に当選すると、特別図柄変動ゲームにおいて大当り図柄が導出されたのち、該大当りの特別図柄変動ゲームの終了後に、大当り遊技が付与される。詳しくは後述するが、大当り遊技は、遊技者が多数の賞球やその他の特典を獲得し得るため、遊技者にとって極めて有利な状態である。
【００１９】
情報表示パネル２５は、普通図柄表示部を備えている。普通図柄表示部は、所定の図柄を変動表示させるとともに、最終的に普通図柄を導出させる普通図柄変動ゲームを表示する。普通図柄表示部に導出が可能な普通図柄には、普通当り図柄と、普通はずれ図柄とが少なくともある。この実施形態では、内部抽選（所謂、普通図柄の当り抽選）に当選すると、普通図柄変動ゲームにおいて普通当り図柄が導出されたのち、該普通当りの普通図柄変動ゲームの終了後に、普通当り遊技が付与される。普通当り遊技は、遊技者が特別図柄変動ゲームの始動条件を成立させ易くなることから、遊技者にとって有利な状態である。
【００２０】
パチンコ遊技機１０は、遊技領域２１の略中央に、センター枠４０を備えている。センター枠４０は、開口部４０ａを備えており、その全体が枠状の部材である。センター枠４０は、各種のキャラクタなどを模した装飾が施されていてもよい。例えば、センター枠４０は、ポリカーボネート樹脂やアクリル樹脂など、背後にある遊技部品を視認可能となるように、透明な樹脂材料を用いて構成されている。センター枠４０は、遊技者から見たときに、センター枠４０の開口部４０ａと遊技盤２０の開口部２０ａとが重なった状態で、遊技盤２０に組み付けられている。
【００２１】
センター枠４０は、遊技盤２０の表面２０ｂに沿って延びる環状のフランジ４１を備えている。フランジ４１は、ネジなどを用いて遊技盤２０の表面２０ｂに固定されている。即ち、フランジ４１は、遊技盤２０の表面２０ｂとともに、遊技領域２１の後壁を構成している。この実施形態において、遊技盤２０の表面２０ｂ及びフランジ４１と、保護ガラス板１４の内面１４ａとの離間距離は、１球の遊技球が通過可能であって、２球以上の遊技球が並ばない距離である。例えば、センター枠４０は、フランジ４１のうち左上部分において、前方に向かって突出する複数の障害壁４１ａを備えていてもよい。障害壁４１ａは、遊技領域２１を流下する遊技球の挙動に変化を与える。
【００２２】
また、センター枠４０は、開口部４０ａの下縁部において、左右方向に沿って延びているステージ４２を備えている。ステージ４２は、遊技球を左右方向に沿って転動させる。センター枠４０は、遊技領域２１のうち、センター枠４０よりも左側の領域を流下する遊技球を、ステージ４２へと案内するワープ路４３を備えている。言い換えると、ワープ路４３は、遊技領域２１を流下してきた遊技球をステージ４２に誘導するための誘導通路である。
【００２３】
センター枠４０は、開口部４０ａの下縁部において左右方向に沿って延びている第１区画壁４４を備えている。第１区画壁４４は、ステージ４２の後端部から上方へ向かって延びている板状の後壁板４４ａと、該後壁板４４ａの上端部から前方（遊技者側）へ向かって延びている天板４４ｂと、を備えている。天板４４ｂの先端部は、保護ガラス板１４の内面１４ａと、遊技球の直径以上の隙間を設けることなく近接している。即ち、第１区画壁４４は、ステージ４２を転動する遊技球が跳ね上がって開口部４０ａの内部に侵入することを抑制している。
【００２４】
また、センター枠４０は、開口部４０ａのうち左下部分から右下部分に向かって、且つ上方に向かって膨らむ円弧状に延びている第２区画壁４５を備えている。第２区画壁４５は、フランジ４１から前方に向かって突出している壁状の部分である。第２区画壁４５は、センター枠４０に一体的に立設されている。第２区画壁４５の先端部は、保護ガラス板１４の内面１４ａと、遊技球の直径以上の隙間を設けることなく近接している。即ち、第２区画壁４５は、遊技領域２１を流下する遊技球が開口部４０ａの内部に侵入することを抑制している。センター枠４０の開口部４０ａは、第１区画壁４４及び第２区画壁４５によって、遊技球の直径以上の隙間を設けることなく、全周にわたって囲われている。
【００２５】
また、センター枠４０は、第２区画壁４５の外縁に沿って、右上部分から下方に向かって延びる第３区画壁４６を備えている。第３区画壁４６は、第２区画壁４５とともに、遊技球を流下可能な案内通路を区画しており、上流から流下してきた遊技球を排出口４６ａに案内する。本実施形態において、センター枠４０の左側を流下する遊技球の流路を左側流路Ｒ１とし、センター枠４０の右側を流下する遊技球の流路を右側流路Ｒ２とすると、第２区画壁４５及び第３区画壁４６は、右側流路Ｒ２を区画している。以下の説明において、単に「上流」や「下流」と示す場合には、遊技球の流下方向における「上流」と「下流」とをそれぞれ示すものとする。
【００２６】
このように、この実施形態において、発射ハンドル１５の操作によって発射された遊技球は、遊技領域２１のなかでも、上述したレール２２〜２４と、区画壁４４〜４６とによって挟まれた領域内を流下するようになっている。つまり、遊技盤２０には、遊技領域２１を画成するためのレール２２〜２４とセンター枠４０（区画壁４４〜４６）とが設けられている。
【００２７】
パチンコ遊技機１０は、演出表示装置２６を備えている。例えば、演出表示装置２６は、液晶ディスプレイである。演出表示装置２６は、センター枠４０の開口部４０ａを介して、遊技者が表示領域を視認可能となるように、遊技盤２０に組み付けられている。演出表示装置２６は、例えば、複数列の演出図柄を変動表示させるとともに演出図柄の組み合わせを導出させる演出や、所定のキャラクタや文字を模した絵柄を表示する演出などを行う。
【００２８】
パチンコ遊技機１０は、センター枠４０の下方において、遊技領域２１に開口している第１始動入賞口２７を備えている。パチンコ遊技機１０は、第１始動入賞口２７に入球した遊技球を検知する第１始動センサを備えている（図示しない）。
【００２９】
パチンコ遊技機１０は、センター枠４０の下方において、遊技領域２１に開口している第２始動入賞口２８を備えている。パチンコ遊技機１０は、第２始動入賞口２８に入球した遊技球を検知する第２始動センサを備えている（図示しない）。この実施形態では、第１，第２始動センサによって遊技球が検知されると、特別図柄変動ゲームの始動条件が成立し得る。パチンコ遊技機１０は、第２始動入賞口２８を開閉する第１可変部材２９を備えている。第１可変部材２９は、遊技球が第２始動入賞口２８へ入球し易い開状態と、遊技球が第２始動入賞口２８に入球し難い、又は入球できない閉状態と、に動作可能である。第１可変部材２９は、上述した普通当り遊技において開状態に動作される。
【００３０】
パチンコ遊技機１０は、センター枠４０の右上方において、遊技領域２１に開口している第１大入賞口３０を備えている。第１大入賞口３０は、所謂上アタッカである。パチンコ遊技機１０は、第１大入賞口３０に入球した遊技球を検知する第１カウントセンサを備えている（図示しない）。パチンコ遊技機１０は、第１大入賞口３０を開閉する第２可変部材３１を備えている。第２可変部材３１は、所謂大入賞口扉である。第２可変部材３１は、大当り遊技において開放状態に動作される。
【００３１】
パチンコ遊技機１０は、センター枠４０の右下方において、遊技領域２１に開口している第２大入賞口３２を備えている。第２大入賞口３２は、所謂下アタッカである。パチンコ遊技機１０は、第２大入賞口３２に入球した遊技球を検知する第２カウントセンサを備えている（図示しない）。パチンコ遊技機１０は、第２大入賞口３２を開閉する第３可変部材３３を備えている。第３可変部材３３は、所謂大入賞口扉である。第３可変部材３３は、大当り遊技において開放状態に動作される。パチンコ遊技機１０は、第１〜第３可変部材２９，３１，３３のそれぞれを動作させるためのアクチュエータとして、例えばソレノイドなどを備えている（図示しない）。
【００３２】
パチンコ遊技機１０は、遊技領域２１のうち、第３区画壁４６の排出口４６ａの下方において、遊技球が通過（入球）可能なゲート３４を備えている。ゲート３４は、遊技球の流下方向における第１大入賞口３０と第２大入賞口３２の間にある。パチンコ遊技機１０は、ゲート３４を通過した遊技球を検知する通過センサＳＥ１（図３及び図４参照）を備えている。この実施形態では、遊技球がゲート３４を通過すると、普通図柄変動ゲームの始動条件が成立し得る。
【００３３】
パチンコ遊技機１０は、遊技領域２１のうち、第３区画壁４６の排出口４６ａの下方において、遊技球が入球可能な一般入賞口３５を備えている。一般入賞口３５は、ゲート３４の左側方にある。パチンコ遊技機１０は、一般入賞口３５に入球した遊技球を検知する一般入賞センサを備えている（図示しない）。この実施形態では、第１，第２始動センサ、第１，第２カウントセンサ、及び一般入賞センサの何れかによって遊技球が検知されると、入球する入賞口に予め定めた個数の遊技球が賞球として払い出される。
【００３４】
パチンコ遊技機１０は、アウト口３６を備えている。この実施形態では、何れの入賞口にも入球しなかった遊技球は、アウト口３６から機外へと排出される。なお、パチンコ遊技機１０は、入賞口２７，２８，３０，３２，３５とは異なる入賞口を備えていてもよい。
【００３５】
次に、図３〜図６を参照してセンター枠４０について詳しく説明する。
図３及び図４に示すように、センター枠４０は、遊技盤２０の表面２０ｂに沿って右側方に延びる板状の延設部４７を備えている。センター枠４０は、延設部４７の先端に入球部４８を備えている。このように、延設部４７及び入球部４８は、センター枠４０の外側（右側方）に延びるように設けられている。また、例えば、延設部４７は、背後にある遊技部品を視認可能となっている。その一方で、入球部４８には、背後にある遊技部品を視認不可能となるように加工が施されている。入球部４８は、正面から見てＬ字形状をなし、前方へと突出する柱状の部分であり、右側方に延びる第１入球部４９と、上方に延びる第２入球部５０とを備えている。第１入球部４９には、ゲート３４が形成されており、第２入球部５０には、一般入賞口３５が形成されている。このように、センター枠４０には、延設部４７と第１入球部４９と第２入球部５０とが一体的に形成されている。
【００３６】
延設部４７は、ネジなどを用いて遊技盤２０の表面２０ｂに固定されている。即ち、延設部４７は、遊技盤２０の表面２０ｂとともに、遊技領域２１の後壁を構成している。この実施形態において、延設部４７は、第２区画壁４５と入球部４８との離間距離が少なくとも１球の遊技球が通過可能なように延びた形状である。延設部４７の表面４７ａと保護ガラス板１４の内面１４ａとの離間距離は、１球の遊技球が通過可能であって、２球以上の遊技球が並ばない距離である。このように、延設部４７は、遊技領域２１における遊技球が表面４７ａを流下可能なように形成されている。
【００３７】
延設部４７は、入球部４８をセンター枠４０と一体的に形成するための連結部である。延設部４７は、ゲート３４や一般入賞口３５の上流ではなく、一般入賞口３５の下流部分と連結するように入球部４８と一体的に形成されている。なお、本実施形態において、遊技釘ＹＫは、センター枠４０に立設されておらず、遊技盤２０に立設されている。このため、センター枠４０に一体的に形成された延設部４７や入球部４８は、遊技釘ＹＫが立設されない領域に設けられる。ゲート３４や一般入賞口３５の上流側においては、ゲート３４や一般入賞口３５への遊技球の入球に影響を与えることとなり、遊技釘ＹＫが設けられている。その一方で、ゲート３４や一般入賞口３５の下流側においては、ゲート３４や一般入賞口３５への遊技球の入球に影響を与えることがないため、一般入賞口３５の下流側に、延設部４７と必要な遊技釘ＹＫとが設けられている。
【００３８】
第１入球部４９は、前方に向かって突出している部分である。第１入球部４９は、保護ガラス板１４の内面１４ａと、遊技球の直径以上の隙間を設けることなく近接している。
第１入球部４９には、上下方向に貫通する開口４９ａが形成されている。第１入球部４９において、開口４９ａが形成された部分には、通過センサＳＥ１が設けられており、通過センサＳＥ１によりゲート３４を遊技球が通過したことが検知される。このように、第１入球部４９は、遊技領域２１を流下してきた遊技球が上方から下方に通過可能なゲート３４を有している。
【００３９】
第１入球部４９は、遊技盤２０の表面２０ｂに沿って右側壁部４９ｂから右側方に延びる板状の第１固定部４９ｃを備えている。つまり、第１入球部４９において、第１固定部４９ｃは、第２区画壁４５から第１入球部４９が延びる方向（外側）に設けられている。第１固定部４９ｃは、開口が形成された部分であり、ネジなどを用いて遊技盤２０の表面２０ｂに固定されている。即ち、第１固定部４９ｃの表面は、遊技盤２０の表面２０ｂとともに、遊技領域２１の後壁を構成している。
【００４０】
この実施形態において、第１入球部４９の右側壁部４９ｂと第２レール２３との離間距離は、遊技球が通過可能な距離である。また、第１固定部４９ｃと保護ガラス板１４の内面１４ａとの離間距離は、１球の遊技球が通過可能であって、２球以上の遊技球が並ばない距離である。このように、第１固定部４９ｃは、遊技領域２１における遊技球が表面を流下可能なように形成されている。
【００４１】
第２入球部５０は、延設部４７から前方に向かって突出している部分である。第２入球部５０は、保護ガラス板１４の内面１４ａと、遊技球の直径以上の隙間を設けることなく近接している。
【００４２】
第２入球部５０の左側壁部５０ａには、一般入賞口３５が形成されている。一般入賞口３５に入球した遊技球は、第２入球部５０の奥方に案内される。第２入球部５０の奥方には、図示しない入賞センサが設けられており、入賞センサにより一般入賞口３５に遊技球が入球したことが検知される。このように、第２入球部５０は、遊技領域２１を流下してきた遊技球が左側方から入球可能な一般入賞口３５を有している。
【００４３】
第２入球部５０は、遊技盤２０の表面２０ｂに沿って上側壁部５０ｂから上方に延びる板状の第２固定部５０ｃを備えている。つまり、第２入球部５０において、第２固定部５０ｃは、遊技球が流下してくる上方側に設けられている。第２固定部５０ｃは、開口が形成された部分であり、ネジなどを用いて遊技盤２０の表面２０ｂに固定されている。即ち、第２固定部５０ｃの表面は、遊技盤２０の表面２０ｂとともに、遊技領域２１の後壁を構成している。
【００４４】
この実施形態において、第２入球部５０の上側壁部５０ｂと遊技釘ＹＫ１との離間距離は、遊技球（例えば１球の遊技球）が通過可能な距離である。また、第２固定部５０ｃの表面と保護ガラス板１４の内面１４ａとの離間距離は、１球の遊技球が通過可能であって、２球以上の遊技球が並ばない距離である。このように、第２固定部５０ｃは、遊技領域２１における遊技球が表面を流下可能なように形成されている。
【００４５】
パチンコ遊技機１０は、遊技領域２１を流下してきた遊技球がゲート３４に入球するための第１流路Ｒ３と、遊技領域２１を流下してきた遊技球が一般入賞口３５に入球するための第２流路Ｒ４と、を備えている。第１流路Ｒ３と第２流路Ｒ４とは、排出口４６ａよりも下流の分岐部Ｂにより分岐される異なる流路である。このように、排出口４６ａから分岐部Ｂに流下してきた遊技球は、第１流路Ｒ３か第２流路Ｒ４かに流下することとなる。
【００４６】
なお、本実施形態において、第２入球部５０の右側方の右側壁部５０ｄには、入球口が形成されていない。このため、第２入球部５０の右側壁部５０ｄは、第１流路Ｒ３を区画するための部分となる。このように、第２入球部５０には、第１入球部４９のゲート３４に遊技球を案内する右側壁部５０ｄが形成されている。本実施形態において、第２入球部５０の右側壁部５０ｄが案内部に相当する。
【００４７】
第２入球部５０の左側壁部５０ａの角部には、切欠き５０ｅが形成されている。第２入球部５０の左側壁部５０ａの角部に切欠き５０ｅが形成されることによって、第２入球部５０の左側壁部５０ａが、第２入球部５０の他の部分よりも低い高さとなる。また、切欠き５０ｅが形成された第２入球部５０の左側壁部５０ａの角部は、保護ガラス板１４の内面１４ａと、遊技球の直径以上の隙間を設けることなく近接している。
【００４８】
第２入球部５０の左側壁部５０ａに近接する位置には、遊技釘ＹＫ２が設けられている。なお、本実施形態において、第２入球部５０の左側壁部５０ａと遊技釘ＹＫ２とは、１球の遊技球が通過不可能なように近接する位置に設けられている。遊技釘ＹＫ２は、一般入賞口３５を挟むように設けられている。遊技釘ＹＫ２は、第２流路Ｒ４を流下してきた遊技球の挙動に影響を与え、一般入賞口３５への遊技球の入球に影響を与える部材である。第２入球部５０の左側壁部５０ａは、近接する位置に設けられている遊技釘ＹＫ２よりも低い高さとなる。言い換えると、第２入球部５０において、遊技釘ＹＫ２に近接する左側壁部５０ａが遊技釘ＹＫ２の高さよりも低い高さとなるように切欠き５０ｅが形成されている。
【００４９】
また、第２入球部５０の左側壁部５０ａと遊技釘ＹＫ２とが設けられた第１領域Ｚ１が特別領域に相当する。つまり、第１領域Ｚ１において、第２入球部５０の左側壁部５０ａと遊技釘ＹＫ２とが近接する位置関係で設けられており、遊技釘ＹＫ２に近接する第２入球部５０左側壁部５０ａが遊技釘ＹＫ２の高さよりも低い高さとなっている。また、第１領域Ｚ１には、遊技領域２１を流下してきた遊技球が入球可能な一般入賞口３５が設けられている。
【００５０】
第２区画壁４５において、排出口４６ａと延設部４７との間に位置する部分４５ａの先端部には、切欠き４５ｂが形成されている。第２区画壁４５に切欠き４５ｂが形成されることによって、第２区画壁４５の切欠き４５ｂが形成された部分４５ａが、第２区画壁４５の切欠き４５ｂが形成されていない部分よりも低い高さとなる。また、第２区画壁４５の切欠き４５ｂが形成された部分４５ａの先端部は、保護ガラス板１４の内面１４ａと、遊技球の直径以上の隙間を設けることなく近接している。
【００５１】
第２区画壁４５の切欠き４５ｂが形成された部分４５ａに近接する位置には、遊技釘ＹＫ３が設けられている。なお、本実施形態において、第２区画壁４５の切欠き４５ｂが形成された部分４５ａと遊技釘ＹＫ３とは、１球の遊技球が通過不可能なように近接する位置に設けられている。遊技釘ＹＫ３は、第２流路Ｒ４を流下してきた遊技球の挙動に影響を与え、一般入賞口３５への遊技球の入球に影響を与える部材である。第２区画壁４５の切欠き４５ｂが形成された部分４５ａは、近接する位置に設けられている遊技釘ＹＫ３よりも低い高さとなる。言い換えると、第２区画壁４５において、遊技釘ＹＫ３に近接する位置が遊技釘ＹＫ３の高さよりも低い高さとなるように切欠き４５ｂが形成されている。
【００５２】
また、第２区画壁４５の切欠き４５ｂが形成された部分４５ａと遊技釘ＹＫ３とが設けられた第２領域Ｚ２が特定領域（第１特定領域）に相当する。つまり、第２領域Ｚ２には、第２区画壁４５の切欠き４５ｂが形成された部分４５ａと遊技釘ＹＫ３とが近接する位置関係で設けられており、第２区画壁４５における遊技釘ＹＫ３に近接する部分４５ａが遊技釘ＹＫ３の高さよりも低い高さとなる。また、第２領域Ｚ２は、一般入賞口３５に遊技球が入球するための第２流路Ｒ４が設けられた領域である。
【００５３】
また、本実施形態において、遊技釘ＹＫ２と遊技釘ＹＫ３とは、１球の遊技球が通過可能な距離で設けられている。つまり、遊技釘ＹＫ２，ＹＫ３は、第２流路Ｒ４を挟んで対向する位置に設けられ、第２流路Ｒ４を区画する部材である。特に、第２区画壁４５と第２入球部５０の左側壁部５０ａとの離間距離は、２球以上の遊技球が並ばない距離ではあるものの、遊技球の直径よりもやや長い距離である。そこで、第２流路Ｒ４の幅を遊技球の直径程度とするためにも、遊技釘ＹＫ２，ＹＫ３が設けられている。このため、遊技釘ＹＫ２，ＹＫ３は、他の遊技釘ＹＫよりも調整する頻度が高くなる傾向がある。具体的な一例をあげると、第２流路Ｒ４の下流において、遊技球が頻繁には流下してこない領域に遊技釘ＹＫ４が設けられている。遊技釘ＹＫ２，ＹＫ３は、このような遊技釘ＹＫ４よりも調整する頻度が高くなる傾向がある。なお、遊技釘ＹＫ４は、遊技釘ＹＫ３と同じように、第２区画壁４５に近接した位置に設けられているが、遊技釘ＹＫ３よりも遊技球が流下する頻度が低くなり、調整する頻度が低くなる傾向がある。このため、第２区画壁４５において、遊技釘ＹＫ４が近接する位置に設けられた部分には、切欠きが形成されておらず、第２区画壁４５と遊技釘ＹＫ４とが同じ高さとなっている。
【００５４】
図５及び図６に示すように、パチンコ遊技機１０は、遊技領域２１を流下してきた遊技球がワープ路４３の誘導口４３ａに入球しない第３流路Ｒ５及び第４流路Ｒ６と、ワープ路４３の誘導口４３ａに入球するための第５流路Ｒ７と、を備えている。
【００５５】
第２区画壁４５において、ワープ路４３の誘導口４３ａの上方に位置する部分４５ｃの先端部には、切欠き４５ｄが形成されている。第２区画壁４５に切欠き４５ｄが形成されることによって、第２区画壁４５の切欠き４５ｄが形成された部分４５ｃが、第２区画壁４５の切欠き４５ｄが形成されていない部分よりも低い高さとなる。また、第２区画壁４５の切欠き４５ｄが形成された部分４５ｃの先端部は、保護ガラス板１４の内面１４ａと、遊技球の直径以上の隙間を設けることなく近接している。
【００５６】
第２区画壁４５の切欠き４５ｄが形成された部分４５ｃに近接する位置には、遊技釘ＹＫ５が設けられている。なお、本実施形態において、第２区画壁４５の切欠き４５ｄが形成された部分４５ｃと遊技釘ＹＫ５とは、１球の遊技球が通過不可能なように近接する位置に設けられている。遊技釘ＹＫ５は、誘導口４３ａの上流に設けられている。遊技釘ＹＫ５は、遊技領域２１を流下してきた遊技球の挙動（例えば第３〜第５流路Ｒ５〜Ｒ７の何れに流下するかなど）に影響を与え、誘導口４３ａへの遊技球の入球に影響を与える部材である。第２区画壁４５の切欠き４５ｄが形成された部分４５ｃは、近接する位置に設けられている遊技釘ＹＫ５よりも低い高さとなる。言い換えると、第２区画壁４５において、遊技釘ＹＫ５に近接する位置が遊技釘ＹＫ５の高さよりも低い高さとなるように切欠き４５ｄが形成されている。
【００５７】
また、第２区画壁４５の切欠き４５ｄが形成された部分４５ｃと遊技釘ＹＫ５とが設けられた第３領域Ｚ３が特定領域（第２特定領域）に相当する。つまり、第３領域Ｚ３には、第２区画壁４５の切欠き４５ｄが形成された部分４５ｃと遊技釘ＹＫ５とが近接する位置関係で設けられており、第２区画壁４５における遊技釘ＹＫ５に近接する部分４５ｃが遊技釘ＹＫ５の高さよりも低い高さとなる。また、第３領域Ｚ３には、遊技領域２１を流下してきた遊技球を誘導するためのワープ路４３の誘導口４３ａが設けられている。
【００５８】
また、本実施形態において、ゲート３４及び一般入賞口３５が入球口に相当し、ゲート３４が第１入球口に相当し、一般入賞口３５が第２入球口に相当する。また、延設部４７は、センター枠４０において入球部４８と連結するための連結部に相当する。また、第２区画壁４５が壁部に相当する。
【００５９】
次に、図７を参照して、第２区画壁４５と遊技釘ＹＫとの関係について説明する。なお、図７は、図３に示す符号Ｘの方向から見た図である。
図７に示すように、第２区画壁４５の符号４５ａの部分には、切欠き４５ｂが形成されている。切欠き４５ｂが形成された部分４５ａ（第２領域Ｚ２）は、切欠き４５ｂが形成されていない部分（第２領域Ｚ２とは異なる所定領域）よりも低い高さとして形成されている。また、第２区画壁４５において、切欠き４５ｂが形成された部分４５ａは、近接するように設けられた遊技釘ＹＫ（特に遊技釘ＹＫ３）よりも低い高さである一方で、切欠き４５ｂが形成されていない部分は、遊技釘ＹＫと同じ高さである。
【００６０】
具体的には、切欠き４５ｂが形成されていない部分の高さｔ１よりも、切欠き４５ｂが形成された部分４５ａの高さｔ２のほうが低くなっている。また、切欠き４５ｂが形成されていない部分の高さｔ１は、遊技釘ＹＫの高さｔ３と同じであり、切欠き４５ｂが形成された部分４５ａの高さｔ２は、遊技釘ＹＫの高さｔ３よりも低くなっている。
【００６１】
このように、遊技釘ＹＫ３が設けられている第２領域Ｚ２において、遊技釘ＹＫ３と近接する第２区画壁４５が、遊技釘ＹＫ３よりも低い高さとなるように設けられている。また、第２区画壁４５は、第２領域Ｚ２と、第２領域Ｚ２とは異なる所定領域とに亘って設けられており、所定領域では遊技釘ＹＫと同じ高さで設けられている。
【００６２】
また、遊技釘ＹＫ２が設けられている第１領域Ｚ１でも、第２領域Ｚ２と同じように、遊技釘ＹＫ２と近接する第２入球部５０の左側壁部５０ａが、遊技釘ＹＫ２よりも低い高さとなるように設けられている。
【００６３】
また、遊技釘ＹＫ５が設けられている第３領域Ｚ３でも、第２領域Ｚ２と同じように、遊技釘ＹＫ５と近接する第２区画壁４５が、遊技釘ＹＫ５よりも低い高さとなるように設けられている。また、第２区画壁４５は、第３領域Ｚ３と、第３領域Ｚ３とは異なる所定領域とに亘って設けられており、所定領域では遊技釘ＹＫと同じ高さで設けられている。
【００６４】
したがって、この実施形態のパチンコ遊技機１０は、次の効果を奏する。
（１）従来、遊技領域２１に遊技釘ＹＫが設けられており、遊技釘ＹＫの先端部分にハンマー等を衝突させるなどして、遊技釘ＹＫの角度などを調整する場合があった。しかしながら、遊技釘ＹＫが設けられた領域にセンター枠４０の区画壁などの壁部が設けられている場合には、壁部によって遊技釘ＹＫの調整が干渉されることがあった。そこで、遊技領域２１には、遊技盤２０に対して立設された遊技釘ＹＫが設けられており、そのなかでも遊技釘ＹＫ３が設けられている第２領域Ｚ２や遊技釘ＹＫ５が設けられている第３領域Ｚ３には、遊技釘ＹＫ３，ＹＫ５よりも低い高さで第２区画壁４５が設けられている。このため、第２区画壁４５が遊技釘ＹＫ３，ＹＫ５よりも低い高さであり、遊技釘ＹＫ３，ＹＫ５の調整を行う場合、第２区画壁４５によって遊技釘ＹＫ３，ＹＫ５の調整が干渉されることを抑制することができ、機能性の向上を図ることができる。
【００６５】
（２）第２区画壁４５は、第２領域Ｚ２や第３領域Ｚ３と、それら第２領域Ｚ２及び第３領域Ｚ３とは異なる所定領域とに亘って設けられている。所定領域では遊技釘ＹＫと同じ高さで設けられている。このため、第２領域Ｚ２や第３領域Ｚ３とは異なる所定領域では遊技釘ＹＫと同じ高さで第２区画壁４５が設けられており、第２区画壁４５が設けられた全領域のうち第２領域Ｚ２や第３領域Ｚ３で遊技釘ＹＫよりも低い高さとする一方で、所定領域で遊技釘ＹＫと同じ高さとすることができ、機能性の向上を図ることができる。特に、所定領域で遊技釘ＹＫと同じ高さとすることにより、第２領域Ｚ２や第３領域Ｚ３よりも保護ガラス板１４の内面１４ａに近接するように第２区画壁４５を設けることができる。このため、第２区画壁４５の先端部ではなく第２区画壁４５表面で遊技球と衝突する可能性を高めることができ、第２区画壁４５の全域を遊技釘ＹＫよりも低くする場合よりも、遊技球を安定的に流下させることができ、機能性の向上を図ることができる。
【００６６】
（３）第２領域Ｚ２には、遊技領域２１を流下してきた遊技球が入球可能な一般入賞口３５を有する第２入球部５０が設けられている。このため、第２領域Ｚ２に設けられた一般入賞口３５に遊技球を入球させるべく、第２領域Ｚ２に遊技球が流下し易くなる。このため、遊技球が流下し易い第２領域Ｚ２では、遊技釘ＹＫの調整を行う頻度が高くなる傾向があり、第２区画壁４５によって遊技釘ＹＫの調整が干渉されることを効果的に抑制することができ、機能性の向上を図ることができる。
【００６７】
（４）第３領域Ｚ３には、遊技領域２１を流下してきた遊技球を誘導可能なワープ路４３の誘導口４３ａが設けられている。このため、第３領域Ｚ３に設けられたワープ路４３の誘導口４３ａに遊技球を流下させるべく、第３領域Ｚ３に遊技球が流下し易くなる。このため、遊技球が流下し易い第３領域Ｚ３では、遊技釘ＹＫの調整を行う頻度が高くなる傾向があり、第２区画壁４５によって遊技釘ＹＫの調整が干渉されることを効果的に抑制することができ、機能性の向上を図ることができる。
【００６８】
（５）従来、遊技盤には、センター枠や複数の入球部などがそれぞれ取り付けられていた。しかしながら、遊技盤に取り付ける部品点数が多くなるおそれがあった。また、従来、複数の入球部への遊技球の入球を注意させることによって、遊技に対する興趣の向上を図ることが望まれている。そこで、遊技球が流下可能な遊技領域２１を画成するためのセンター枠４０には、ゲート３４を有する第１入球部４９と、一般入賞口３５を有する第２入球部５０とが一体的に形成されている。また、遊技領域２１には、ゲート３４に遊技球が入球するための第１流路Ｒ３と、一般入賞口３５に遊技球が入球するための第２流路Ｒ４とがあり、第１流路Ｒ３と第２流路Ｒ４とは、異なる流路である。このため、第１入球部４９と第２入球部５０とをセンター枠４０に一体的に形成することができ、パチンコ遊技機の部品点数を減少させることができるとともに、部品の取り付けを容易とすることができる。
【００６９】
（６）また、これに加えて、一体的に形成された第１入球部４９と第２入球部５０とでは、遊技球が入球するための流路が異なり、遊技球の流下に対して多様性を持たせることができ、遊技に対する興趣の向上を図ることができる。したがって、機能性の向上を図ることができる。
【００７０】
（７）センター枠４０には、第１入球部４９及び第２入球部５０と連結するための延設部４７が一体的に形成されている。延設部４７は、遊技領域２１における遊技球が流下可能なように形成されている。このため、センター枠４０に延設部４７が形成されることによって、第１入球部４９及び第２入球部５０をセンター枠４０と離れた位置に形成することができるとともに、遊技球を通過させることができ、機能性の向上を図ることができる。
【００７１】
（８）延設部４７は、一般入賞口３５の下流側で入球部４８と連結する部分である。遊技釘ＹＫは、遊技盤２０に立設されており、センター枠４０に立設されていない。このため、一般入賞口３５への遊技球の入球に影響が少ない領域において、遊技釘ＹＫを減少させるとともに、延設部４７を入球部４８に連結させることができ、機能性の向上を図ることができる。
【００７２】
（９）第２入球部５０には、第１入球部４９のゲート３４に遊技球を案内する右側壁部５０ｄが形成されている。このため、第２入球部５０は、遊技球を入球可能にすることと、第１入球部４９のゲート３４に遊技球を案内することとの両方ができ、機能性の向上を図ることができる。
【００７３】
（１０）また、第２入球部５０の右側壁部５０ｄによって遊技球がゲート３４に案内されることにより、第２入球部５０に近接する領域に設ける遊技釘ＹＫを減少させることができ、遊技釘ＹＫの調整機会を少なくすることができ、機能性の向上を図ることができる。
【００７４】
（１１）第２入球部５０の一般入賞口３５が設けられた第１領域Ｚ１には、遊技盤２０に対して立設された遊技釘ＹＫ２が設けられている。第２入球部５０において、左側壁部５０ａが近接する遊技釘ＹＫ２よりも低い高さとなるように切欠き５０ｅが形成されている。このため、第２入球部５０において、左側壁部５０ａが近接する遊技釘ＹＫ２よりも低い高さとなり、遊技釘ＹＫ２の調整を行う場合、遊技釘ＹＫ２の調整が干渉されることを抑制することができ、機能性の向上を図ることができる。
【００７５】
（１２）センター枠４０に入球部４８が延設されており、入球部４８が第１固定部４９ｃ及び第２固定部５０ｃで遊技盤２０に固定されている。このため、センター枠４０に延設された入球部４８を強固に固定することができ、機能性の向上を図ることができる。
【００７６】
（１３）特に、入球部４８において、センター枠４０の第２区画壁４５から延びる方向である右側方（外側）に第１固定部４９ｃが設けられている。このため、上方から流下してきた遊技球が入球部４８に繰り返し衝突した場合であっても、センター枠４０の第２区画壁４５から延びる延設部４７及び入球部４８を強固に固定することができ、機能性の向上を図ることができる。
【００７７】
（１４）また、入球部４８の上方側に、センター枠４０（入球部４８）を遊技盤２０に固定するための第２固定部５０ｃが設けられている。このため、上方から流下してくる遊技球が入球部４８に衝突した場合であっても、遊技球の衝突方向と反する上方側に第２固定部５０ｃが設けられているので、入球部４８を強固に固定することができ、機能性の向上を図ることができる。
【００７８】
例えば、上述した実施形態は、次のような別の実施形態に変更してもよい。
・上記実施形態において、例えば、延設部４７及び入球部４８の裏面側に遊技盤２０が設けられなくてもよい。具体的には、遊技盤２０の開口部２０ａが、延設部４７及び入球部４８の裏面まで延びるように形成されていてもよく、開口部２０ａとは別に、遊技盤２０に開口が形成されていてもよい。これによって、遊技盤２０の軽量化を図ることができる。また、延設部４７及び入球部４８の裏面側に装飾ランプ１６や演出表示装置２６が設けられている場合、遊技盤２０を介さずに視認可能となり、装飾ランプ１６や演出表示装置２６の視認性を向上させることができる。また、第１入球部４９に設けられた通過センサＳＥ１や通過センサＳＥ１への配線などを配置可能な空間を設けることもできる。
【００７９】
・上記実施形態において、センター枠４０の右側方に延設部４７及び入球部４８が延びるように設けられたが、これに限らず、例えば、左側方、上方、及び下方の何れかに延設部及び入球部が延びるように設けられてもよく、これらの組み合わせであってもよい。また、センター枠４０の外側に延設部４７及び入球部４８が延びるように設けられたが、これに限らず、例えば、センター枠４０の内側に延設部及び入球部が延びるように設けられてもよい。
【００８０】
・上記実施形態において、例えば、センター枠４０と一体的に形成された入球部４８の下方に、入球部４８を遊技盤２０に固定するための固定部が設けられてもよい。また、例えば、第１固定部４９ｃ及び第２固定部５０ｃの少なくとも何れかが設けられなくてもよく、これらの組み合わせであってもよい。
【００８１】
・上記実施形態において、例えば、第２入球部５０の第２固定部５０ｃが排出口４６ａ近傍に一体的に形成されていてもよい。つまり、入球部４８が延設部４７以外と連結されていてもよい。
【００８２】
・上記実施形態において、センター枠４０には、第２入球部５０と連結するための延設部４７が一体的に形成されていたが、これに限らない。例えば、第１入球部４９と連結するための延設部であってもよい。また、例えば、第１入球部４９と第２入球部５０との両方と連結するための延設部であってもよい。また、遊技盤２０の表面２０ｂに沿うように延設部４７が設けられたが、これに限らず、例えば、保護ガラス板１４の内面１４ａに沿うように延設部が設けられてもよい。また、例えば、延設部４７の表面４７ａを遊技球が通過可能となるように延設部４７が形成されたが、これに限らず、例えば、柱形状の延設部が設けられ、遊技球が通過不可能なように構成されてもよく、延設部が設けられていなくても問題ない。
【００８３】
・上記実施形態において、例えば、ゲート３４を有する第１入球部４９には、一般入賞口３５を有する第２入球部５０に遊技球を案内する案内部が形成されていてもよい。
・上記実施形態において、左側方から遊技球が入球可能な一般入賞口３５が設けられたが、これに限らず、例えば、上方から遊技球が入球可能であってもよく、右側方から遊技球が入球可能であってもよい。また、例えば、ゲート３４と一般入賞口３５とが水平に設けられるか否か、ゲート３４と一般入賞口３５とが並設されているか否かも問わない。
【００８４】
・上記実施形態において、ゲート３４に入球するための第１流路Ｒ３と、一般入賞口３５に入球するための第２流路Ｒ４とが異なるように構成したが、これに限らず、例えば、同じ流路であってもよい。具体的な一例としては、同じ流路上に、ゲート３４と一般入賞口３５とが設けられてもよく、何れか上流に設けられてもよい。
【００８５】
・上記実施形態において、例えば、センター枠４０に、第１始動入賞口２７が形成された入球部など、別の入球部が一体的に形成されてもよく、センター枠４０に、ゲートや一般入賞口などが一体的に形成されなくてもよい。また、例えば、入球部４８に形成される入球口としては、遊技球の入球に応じて遊技球が払い出されるか否かも問わず、入球した遊技球が遊技盤２０の奥方に案内されるか、遊技領域２１を流下するかも問わない。
【００８６】
・上記実施形態において、センター枠４０に一体的に形成された入球部４８には、ゲート３４や一般入賞口３５が設けられたが、これに限らず、例えば、第１始動入賞口２７、第２始動入賞口２８、第１大入賞口３０、第２大入賞口３２の少なくとも何れかが設けられてもよく、これらの組み合わせであってもよい。
【００８７】
・上記実施形態において、入球部４８のうち第２入球部５０の左側壁部５０ａが第１領域Ｚ１に含まれたが、これに限らず、例えば、第２入球部５０の一部ではなく、第２入球部５０の全部が第１領域Ｚ１に含まれていてもよく、入球部４８の全部が第１領域Ｚ１に含まれていてもよい。
【００８８】
・上記実施形態において、ワープ路４３の誘導口４３ａが第３領域Ｚ３に含まれたが、これに限らず、例えば、ワープ路４３の一部ではなく、ワープ路４３の全部が第３領域Ｚ３に含まれていてもよい。
【００８９】
・上記実施形態において、遊技領域２１に設けられた遊技釘ＹＫが同じ高さとなるように遊技盤２０に立設されたが、これに限らず、例えば、遊技領域２１に設けられた遊技釘ＹＫが異なる高さとなるように遊技盤２０に立設されてもよい。
【００９０】
・上記実施形態において、例えば、第２領域Ｚ２及び第３領域Ｚ３を除く所定領域において、近接するように設けられた遊技釘ＹＫと同じ高さとなるように第２区画壁４５が設けられたが、これに限らない。例えば、近接するように設けられた遊技釘ＹＫより高くなるように第２区画壁４５が設けられてもよく、近接するように設けられた遊技釘ＹＫより低くなるように第２区画壁４５が設けられてもよい。
【００９１】
・上記実施形態において、例えば、第２領域Ｚ２及び第３領域Ｚ３において、近接するように設けられた遊技釘ＹＫよりも低い高さとなるように第２区画壁４５が設けられれば、第２領域Ｚ２及び第３領域Ｚ３と、第２領域Ｚ２及び第３領域Ｚ３を除く所定領域とで第２区画壁４５の高さが同じとなるか異なるかも問わない。例えば、第２領域Ｚ２と第３領域Ｚ３とで第２区画壁４５の高さが同じとなるか異なるかも問わない。
【００９２】
・上記実施形態において、遊技釘ＹＫに近接した位置に設けられた第２区画壁４５が、遊技釘ＹＫよりも低い高さとして形成されたが、これに限らない。例えば、入球部４８の一部又は全部が遊技釘ＹＫよりも低い高さとして形成されてもよい。また、例えば、第２区画壁４５ではなく、第１区画壁４４や第３区画壁４６などであってもよく、レール２２〜２４に沿って形成される壁部であってもよい。つまり、遊技領域２１の内郭を区画する壁部や遊技領域２１の外郭を区画する壁部など、遊技領域２１を画成するように設けられた壁部であってもよい。また、遊技領域２１を画成しなくても、遊技領域２１に設けられた遊技釘ＹＫに近接する位置に設けられた壁部であってもよい。つまり、特定領域としては、遊技領域２１を画成する壁部が設けられる領域であっても、遊技領域２１に設けられた遊技釘ＹＫに近接する領域であってもよい。また、例えば、特定領域としては、第１領域Ｚ１と第２領域Ｚ２とを含む領域であってもよい。つまり、特定領域としては、遊技領域２１における遊技釘と、遊技釘に近接するように壁部とが設けられた領域を含めばよく、ゲート３４、一般入賞口３５、及び誘導口４３ａや、各流路Ｒ３〜Ｒ７が設けられている領域など、遊技球が流下し易く、遊技釘ＹＫの調整が必要となる領域であることが好ましい。
【００９３】
・上記実施形態において、遊技球が通過可能な構成について、例えば、１球の遊技球が通過可能であって２球以上の遊技球が並ばない構成や２球以上の遊技球が並ぶ構成など、適宜変更可能である。
【００９４】
次に示す技術的思想は、上述した実施形態から把握できる。
（イ）前記特定領域において、前記遊技釘と前記壁部とが近接していることを特徴とする。
【００９５】
（ロ）前記遊技領域において流下してきた遊技球が前記第１流路と前記第２流路との何れかに分岐されることを特徴とする。
【符号の説明】
【００９６】
Ｒ３…第１流路、Ｒ４…第２流路、ＳＥ１…通過センサ、ｔ１〜ｔ３…高さ、ＹＫ…遊技釘、Ｚ１…第１領域（特別領域）、Ｚ２…第２領域（特定領域）、Ｚ３…第３領域（特定領域）、１０…パチンコ遊技機、２０…遊技盤、２１…遊技領域、２２〜２４…レール、３４…ゲート（第１入球口）、３５…一般入賞口（第２入球口）、４０…センター枠、４３…ワープ路（誘導通路）、４３ａ…誘導口、４４…第１区画壁、４５…第２区画壁（壁部）、４５ｂ，４５ｄ，５０ｅ…切欠き、４６…第３区画壁、４６ａ…排出口、４７…延設部、４８…入球部、４９…第１入球部、４９ｃ…第１固定部、５０…第２入球部、５０ｃ…第２固定部、５０ｄ…右側壁部（案内部）。
【図１】
0006577418.tif 000002
【図２】
0006577418.tif 000003
【図３】
0006577418.tif 000004
【図４】
0006577418.tif 000005
【図５】
0006577418.tif 000006
【図６】
0006577418.tif 000007
【図７】
0006577418.tif 000008